(57)【要約】【課題】塵埃室に堆積した塵埃が舞い上がり、旋回室を逆流してフィルタ室へと進入するのを防止し、塵埃の排出作業の頻度を減らせる、使用勝手の良い電気掃除機を提供する。【解決手段】集塵ユニット１内部に構成される集塵室（塵埃室）２からフィルタ室３へと連通する略円筒状のバイパス通路５を、フィルタ室３または旋回室４から前記集塵室２の底面近傍へ突出して設けると共に、前記バイパス通路５の先端近くに集塵室２と連通するバイパスフィルタ部７を設けたため、集塵室２に蓄積される塵埃６中に綿などの軽量で体積のある塵埃が多く含まれる場合でも、塵埃室２に堆積した塵埃６が舞い上がって旋回室４を逆流しフィルタ室３へと進入するのを防止できる。また塵埃６を圧縮して、集塵室２の前記バイパス通路の先端近くから多くの塵埃６を順次堆積させることが可能となり、塵埃６の排出や集塵ユニット１の清掃作業の頻度を減らすことができる。【選択図】図１
2006346140.tif 000002
【特許請求の範囲】
【請求項１】
吸引風を生成する電動送風機と、塵埃を前記吸引風とともに吸引する開口部を有する吸込具と、前記電動送風機と前記吸込具との間に位置し、それぞれと連通する集塵ユニットとを備え、前記集塵ユニットは、前記吸込具を介して吸引される前記塵埃と前記吸引風とを遠心力により分離する旋回室と、前記旋回室と前記電動送風機の間に位置し前記旋回室通過後の吸引風をろ過するフィルタ室と、分離された前記塵埃を蓄積する塵埃室とを有し、前記フィルタ室または前記旋回室より前記塵埃室の底面近傍に延びる略円筒状のバイパス通路を備え、前記バイパス通路の先端近くに前記塵埃室と連通するバイパスフィルタ部を設けた電気掃除機。
【請求項２】
旋回室外周に、旋回径方向に延びる略円形のフランジ部を設けた請求項１記載の電気掃除機。
【請求項３】
旋回室下部に、旋回軸方向に延びる略円筒形のフランジ部を設けた請求項１記載の電気掃除機。
【発明の詳細な説明】
【技術分野】
【０００１】
本発明は、吸気を旋回して塵埃を分離する遠心分離式の集塵部を備えた電気掃除機に関するものである。
【背景技術】
【０００２】
従来の遠心分離式集塵部を有した電気掃除機として、図５に示すように塵埃と吸引風を遠心力により分離する旋回室５１の下部に略円筒形のフランジ部５２を設け、塵埃室に堆積した塵埃が舞い上がり、旋回室を逆流してフィルタ室５３へと進入するのを防止しているものがあった（例えば、特許文献１参照）。
【特許文献１】特開２００２−１４３０５２号公報
【発明の開示】
【発明が解決しようとする課題】
【０００３】
しかし、上記のような電気掃除機においては、塵埃室へ綿などの軽量で体積のある塵埃が蓄積された場合、使用時間が短期間で塵埃室が満杯となるため、塵埃の排出作業を頻繁に行う必要性が生じる。
【０００４】
本発明は、上記課題を解決するもので、塵埃室での塵埃の圧縮をおこない、塵埃室に堆積した塵埃が舞い上がり、旋回室を逆流してフィルタ室へと進入するのを防止しつつ、塵埃の排出作業の回数を減らし、使い勝手の良い電気掃除機を提供することを目的とするものである。
【課題を解決するための手段】
【０００５】
上記目的を達成するために本発明は、旋回室又はフィルタ室から塵埃室の底面近傍に延びる略円筒状のバイパス通路を備え、前記バイパス通路の先端近くに前記塵埃室と連通するバイパスフィルタ部を設け、塵埃室に負圧を発生させ、塵埃室に蓄積された塵埃を圧縮する効果を発生させると共に、前記バイパス通路の先端近くから塵埃が蓄積し、前記塵埃室に効率よく塵埃が蓄積でき、塵埃室へ綿などの軽量で体積のある塵埃が多く含まれる場合でも、集塵室に多くの塵埃を堆積させることが可能となる。これにより、塵埃室に堆積した塵埃が舞い上がり、旋回室を逆流してフィルタ室へと進入するのを防止しつつ、集塵室に多くの塵埃をバイパス通路の先端近くから堆積させることが可能で、塵埃の排出作業の間隔を長くすることが可能となり、使い勝手のより電気掃除機を提供することができる。
【発明の効果】
【０００６】
本発明の電気掃除機は、綿などの軽量で体積のある塵埃が多く含まれる場合でも、塵埃室に堆積した塵埃が舞い上がり、旋回室を逆流してフィルタ室へと進入するのを防止しつつ、集塵室に多くの塵埃をバイパス通路の先端近くから堆積させることが可能で、塵埃の排出作業の間隔を長くすることが可能となり、使い勝手のより電気掃除機を提供することができる。
【発明を実施するための最良の形態】
【０００７】
第１の発明は、吸引風を生成する電動送風機と、塵埃を前記吸引風とともに吸引する開口部を有する吸込具と、前記電動送風機と前記吸込具との間に位置し、それぞれと連通する集塵ユニットとを備え、前記集塵ユニットは、前記吸込具を介して吸引される前記塵埃と前記吸引風とを遠心力により分離する旋回室と、前記旋回室と前記電動送風機の間に位置し前記旋回室通過後の吸引風をろ過するフィルタ室と、分離された前記塵埃を蓄積する塵埃室とを有し、前記フィルタ室または前記旋回室より前記塵埃室の底面近傍に延びる略円筒状のバイパス通路を備え、前記バイパス通路の先端近くに前記塵埃室と連通するバイパスフィルタ部を設けたもので、綿などの軽量で体積のある塵埃が多く含まれる場合でも、塵埃室に堆積した塵埃が舞い上がり、旋回室を逆流してフィルタ室へと進入するのを防止しつつ、集塵室に多くの塵埃を堆積させることが可能で、塵埃の排出作業の間隔を長くすることが可能となる。また、バイパス通路がフィルタ室または旋回室に構成されていることから、塵埃の排出作業において集塵ユニットからフィルタ室または旋回室を取り外す際にバイパス通路も同時に塵埃より分離されるため、塵埃の排出作業およびバイパス通路の掃除が容易となる。また、バイパス通路が塵埃室の底面近傍に延びて設けられ、塵埃室と連通するバイパスフィルタ部が前記バイパス通路の先端近くに設けられているため、前記バイパス通路の先端近くから塵埃が蓄積し、前記塵埃室に効率よく塵埃が蓄積される。これらにより、使い勝手のより電気掃除機を提供することができる。
【０００８】
第２の発明は、旋回室外周に、旋回径方向に延びる略円形のフランジ部を設けたもので、集塵室に堆積した塵埃が再度旋回室へと逆流しフィルタ室へと進入することで、フィルタ室内のフィルタ目詰まりによる吸い込み性能劣化や、塵埃のフィルタ通過による電気掃除機外部への塵埃排出を防止することが可能となる。
【０００９】
第３の発明は、旋回室下部に、旋回軸方向に延びる略円筒形のフランジ部を設けたもので、集塵室に堆積した塵埃が再度旋回室へと逆流しフィルタ室へと進入することで、フィルタ室内のフィルタ目詰まりによる吸い込み性能劣化や、塵埃のフィルタ通過による電気掃除機外部への塵埃排出を防止することが可能となる。
【００１０】
以下、本発明の実施の形態について、図面を参照しながら説明する。なお、この実施の形態によって本発明が限定されるものではない。
【００１１】
（実施の形態１）
以下、本発明の第１の実施の形態における電気掃除機を図１〜図３を用いて説明する。
【００１２】
図１において、吸込通路８と連通される旋回室４の中心軸にはフィルタ室３が設けられており、フィルタ室３と旋回室４の間にはナイロンメッシュからなるプレフィルタ１２が取り付けられており、その内側には発泡スポンジを用いた底の閉じた円筒形のメインフィルタ１１が構成されている。メインフィルタ１１の内側は電動送風機１４へと連通する送風機通路９となっており、吸込通路８より吸引された塵埃６ａは、旋回室４へと進入し、フィルタ室３の周囲を旋回する旋回流１３に乗り、ある程度の質量を持った塵埃は遠心力により旋回室４の外周部へと放り出され、旋回室４下部に構成されている集塵室（塵埃室）２へと落下する。軽い塵埃は、フィルタ室３外周のプレフィルタ１２へ吸引される力に遠心力が負け、プレフィルタ１２へと向かう。繊維などの軽く大きい塵埃はプレフィルタ１２を通過することができず、プレフィルタ１２表面に付着するが、この付着が進行し、ある程度の大きさになると旋回流１３により吹き飛ばされ、再度旋回流１３に乗り、遠心分離され旋回室４外部へと放出され、集塵室２へと落下する。プレフィルタ１２を通過するような細塵などはメインフィルタ１１で捕集され、送風機通路９には塵埃がほぼ除去された清浄な空気が流れることとなる。
【００１３】
旋回室４より遠心分離され、集塵室２へと落下した塵埃６ｂは、集塵室２の底に堆積するが、旋回室４より前記集塵室２の底面近傍に延びるバイパス通路５の先端近くに設けられた、不織布を用いたバイパスフィルタ部７へと流れる気流に押され、圧縮される。このバイパスフィルタ部７は旋回室４と一体成形されており、組み立ての際に接着などの工程は必要ないため、コストメリットがある。バイパスフィルタ部７を通過した細塵は、再度メインフィルタ１１でろ過される。
【００１４】
バイパス通路５により、塵埃６ｂは集塵室２で圧縮され、旋回室４への逆流は塵埃が少ない間は起こらないが、塵埃６ｂが集塵室２に多く堆積してくると、バイパス通路５による圧縮効果が弱まり、また塵埃６ｂ表面と旋回室４の出口との距離が縮まるため、塵埃６ｂの旋回室４への逆流が起こりやすくなるが、旋回室４の外周に設けられたフランジ部１５の、旋回室４より放出された塵埃が通過する部分に開口が設けられているため、旋回室４より放出される塵埃の流れに妨げられ、一度堆積した塵埃６ｂが旋回室４へと逆流しにくい構成となっている。
【００１５】
図２は旋回室４のフランジ部１５が下方に延びた構成を示しており、図１同様に一度堆積した塵埃６ｂの旋回室４への逆流を防止しているが、旋回室４から放出された塵埃が集塵室２へと落下する経路が広く取れるため、旋回室４での塵埃のつまりを防止できる効果があるが、逆流防止効果は図１の構成に比べ弱いため、求められる性能、仕様に応じて図１の方式と図２の方式を使い分けることで最適化が可能である。
【００１６】
図３は集塵室２に堆積した塵埃６ｂを廃棄するために集塵ユニット１を開けた状態を示している。集塵室２以外の構成部品、つまりフィルタ室３、旋回室４、バイパス通路５はすべて蓋１０へと固定されており、蓋１０を集塵ユニット１から外した状態では集塵室２の内部には塵埃６ｂだけが残っている状態となるため、塵埃６ｂの廃棄作業時に誤って必要な構成部品を廃棄してしまう恐れがない。集塵ユニット１を開けた際に、バイパスフィルタ部７表面に付着した塵埃は、集塵室２に残っている塵埃とこすれ、自動的に引き剥がされ、集塵室２内部へと残るため、集塵ユニット１を開けた際に不意に塵埃が集塵室２より外へこぼれてしまうこともない。
【００１７】
図４は図１の集塵ユニット１を電気掃除機に組み込んだ様子を示しており、集塵ユニット１の上方に電動送風機１４が設けられ、送風機通路９の長さを最小限に抑えることで電動送風機１４の吸引力ロスを減らし、掃除機本体１６下部に構成されている吸込具１７での吸込性能を上げている。
【００１８】
尚、本実施の形態における図１において、吸込通路８を介して内部に吸引された吸引風は、旋回室４の外壁の縦断面が閉じた形状になっており、旋回室４内部に入っていかない印象を与えるが、この縦断面は平面方向から見ると螺旋状をしているものであり、図示はしていないが、入口部、出口部をそれぞれ有するものである。
【産業上の利用可能性】
【００１９】
以上のように、本発明にかかる電気掃除機は、塵埃を圧縮しながら集塵室に堆積させるため、集塵室の容積を有効に活用できる構成を有し、小型化が求められるアプライト型電気掃除機等として有用である。
【図面の簡単な説明】
【００２０】
【図１】本発明の第１の実施の形態を示す電気掃除機における集塵ユニットの断面図
【図２】同電気掃除機の集塵ユニットの別形態図
【図３】同電気掃除機の蓋を外した状態の図
【図４】同電気掃除機の全体構成図
【図５】従来の電気掃除機における集塵ユニットの断面図
【符号の説明】
【００２１】
１    集塵ユニット
２    集塵室（塵埃室）
３    フィルタ室
４    旋回室
５    バイパス通路
６    塵埃
７    バイパスフィルタ部
８    吸込通路
９    送風機通路
１０  蓋
１１  メインフィルタ
１２  プレフィルタ
１３  旋回流
１４  電動送風機
１５  フランジ部
１６  掃除機本体
１７  吸込具
【図１】
2006346140.tif 000003
【図２】
2006346140.tif 000004
【図３】
2006346140.tif 000005
【図４】
2006346140.tif 000006
【図５】
2006346140.tif 000007